【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
無線通信を行う無線通信ユニットを内蔵する撮像装置であって、
前記撮像装置に入射した光を接眼光学系に導く光学部材と、
前記光学部材を覆う外装部材を備え、
前記光学部材は、入射した光を前記接眼光学系に向けて反射させる反射面を有し、該反射面と前記外装部材との間に形成される空間に前記無線通信ユニットを配置し、前記外装部材にて前記無線通信ユニットのアンテナ部に対向する領域の電気抵抗率を、当該領域の周囲よりも相対的に高くしたことを特徴とする撮像装置。
【請求項２】
前記無線通信ユニットは前記反射面と前記外装部材との間に形成される空間に配置されることを特徴とする請求項１に記載の撮像装置。
【請求項３】
前記外装部材は、前記光学部材に形成した前記反射面の周辺で分割される第１外装部材および第２外装部材を備え、
前記第２外装部材と前記反射面との間に形成される空間に前記無線通信ユニットが配置され、前記第２外装部材は前記第１外装部材よりも電気抵抗率が高い樹脂材料で形成され、撮像装置内面側には電気抵抗率が低い表面処理が施されていることを特徴とする請求項２に記載の撮像装置。
【請求項４】
前記外装部材は非導電性の樹脂材料で成形された部材であって、前記光学部材に形成した前記反射面の周辺で分割される第１外装部材および第２外装部材を備え、
前記第２外装部材と前記反射面との間に形成される空間に前記無線通信ユニットが配置され、前記第１外装部材と前記第２外装部材の撮像装置内面側には電気抵抗率が低い表面処理が施されていることを特徴とする請求項２に記載の撮像装置。
【請求項５】
前記第２外装部材の内面のうち、前記無線通信ユニットのアンテナ部に対向する領域には導電性被膜を形成せずに、当該領域を除いた範囲に導電性被膜が形成されていることを特徴とする請求項３または４に記載の撮像装置。
【請求項６】
前記無線通信ユニットは、前記光学部材に形成した前記反射面に対して平行に配置されていることを特徴とする請求項２から５のいずれか１項に記載の撮像装置。
【請求項７】
前記無線通信ユニットのアンテナ部は、前記第１外装部材と前記第２外装部材を固定する複数の取り付け部の間に位置することを特徴とする請求項３から６のいずれか１項に記載の撮像装置。
【請求項８】
前記無線通信ユニットは、前記第２外装部材に取り付けられていることを特徴とする請求項３から７のいずれか１項に記載の撮像装置。
【請求項９】
前記光学部材の上部に閃光ユニットを備えることを特徴とする請求項１から８のいずれか１項に記載の撮像装置。
【手続補正２】
【補正対象書類名】明細書
【補正対象項目名】０００５
【補正方法】変更
【補正の内容】
【０００５】
上記課題を解決するために、本発明に係る装置は、無線通信を行う無線通信ユニットを内蔵する撮像装置であって、前記撮像装置に入射した光を接眼光学系に導く光学部材と、前記光学部材を覆う外装部材を備え、前記光学部材は、入射した光を前記接眼光学系に向けて反射させる反射面を有し、該反射面と前記外装部材との間に形成される空間に前記無線通信ユニットを配置し、前記外装部材にて前記無線通信ユニットのアンテナ部に対向する領域の電気抵抗率を、当該領域の周囲よりも相対的に高くしたことを特徴とする。
【手続補正３】
【補正対象書類名】明細書
【補正対象項目名】００１８
【補正方法】変更
【補正の内容】
【００１８】
次に、図１および図６を参照して、カメラボディ１００の外装構成について説明する。
カメラ動作に対して電磁波の影響を低減するために、外装部材に電磁遮蔽効果を持たせる方法が知られている。外装材料に金属材料、または金属繊維やカーボン繊維を混合した導電性樹脂材料を用いる方法と、非導電性の合成樹脂材料の表面に導電性被膜（導電塗装やイオンプレーティング等による被膜）を施す方法がある。
本実施形態では、第１外装部材である上面外装カバー１０１と第２外装部材である正面外装カバー１０２が、ペンタプリズム５１の第２反射面５１ｂの周辺で分割された構成を有する。無線基板４１は、前面側から見た場合、ほぼ基板全体が正面外装カバー１０２に覆われた状態である。よって、無線基板４１のアンテナ部４２が導電性材料で周囲を覆われて、無線通信用の電波を放射できないと、通信に支障を来たす状態となる。そのため、正面外装カバー１０２は電気抵抗率の高い材料で成形されている。例えば、上面外装カバー１０１と背面外装カバー１１１はカーボン繊維混合樹脂、つまりカーボン繊維を混合した樹脂材料で成形されている。一方、正面外装カバー１０２は上面外装カバー１０１や背面外装カバー１１１に比べて電気抵抗率の高いガラス繊維を混合した樹脂材料で成形されている。但し、これに限定されるものではなく、上面外装カバー１０１と背面外装カバー１１１を金属材料で形成してもよいし、ガラス繊維混合樹脂に導電性被膜を施した材料であってもよい。また、正面外装カバー１０２については、無線通信が可能な程度に電気抵抗率が高い材料であれば適用可能である。
【手続補正４】
【補正対象書類名】明細書
【補正対象項目名】００１９
【補正方法】変更
【補正の内容】
【００１９】
次に図６を参照して、正面外装カバー１０２の内面に形成する導電性被膜について説明する。図６は正面外装カバー１０２をカメラボディ１００の内側から見た状態を示す。以下、導電性被膜の形成範囲を説明する。表面処理により形成される導電性被膜については、導電性塗料やイオンプレーティングによる被膜、あるいはその他の導電性被膜でもよいが、本実施形態では導電性塗料を例にして説明する。
正面外装カバー１０２の内面には導電性被膜を形成した範囲と、領域３００（斜線部参照）に示すように、導電性の塗装膜または蒸着膜を形成していない領域がある。領域３００は、無線基板４１のアンテナ部４２と対向する領域およびその周辺域を含み、導電性塗装膜または蒸着膜が施されていない領域である。この領域３００は、アンテナ部４２に対向する面積よりも広い範囲となるように設定されている。正面外装カバー１０２の内面に導電塗装を施す場合、領域３００にはマスキング処理が行われ、導電性塗料が付着しないように処置される。よって、領域３００は無線通信可能な程度に電気抵抗率が高い領域となっている。また、正面外装カバー１０２の内面のうちで領域３００以外の範囲には、ほぼ全域に亘って導電塗装が施されるため、正面外装カバー１０２は電磁波の遮蔽機能を有する。
【手続補正５】
【補正対象書類名】明細書
【補正対象項目名】００２０
【補正方法】変更
【補正の内容】
【００２０】
正面外装カバー１０２の内面の複数個所に設けたビス留め部３０１ａ，３０１ｂは、上面外装カバー１０１と共にミラーボックス５３に締結固定される際に、上面外装カバー１０１と平面で密着する取り付け部である。複数のビス留め部３０１ａ，３０１ｂには導電塗装が施されているため、導電性樹脂で成形した上面外装カバー１０１と電気的に接続される。無線基板４１のアンテナ部４２は、ビス留め部３０１ａと３０１ｂとの間に挟まれた領域に配置され、アンテナ部４２の上側の周辺域は上面外装カバー１０１で覆われる。このため、アンテナ部４２は電気的に接続された外装部材で囲まれるが、正面外装カバー１０２のうち、アンテナ部４２に対向する領域３００は電気抵抗率が相対的に高い領域である。また、アンテナ部４２は接眼光学系の光軸１ａに対応する部分から離隔して、無線基板４１の右端寄りの位置に設けられている。よって、アンテナ部４２はレンズ着脱マウント６０（図２参照）からカメラの高さ方向において極力離れて位置する。無線基板４１のアンテナ部４２を導電部材であるレンズ着脱マウント６０から極力離して配置することができるので、送受信時の電波はレンズ着脱マウント６０の影響を受け難くなる。
【手続補正６】
【補正対象書類名】明細書
【補正対象項目名】００２５
【補正方法】変更
【補正の内容】
【００２５】
図７（Ａ）に示すように、無線基板４１はビス３２０により締結固定される。無線基板４１にて、ビス３２０による固定部の周辺にはグランドパターンの露出部４６が正面外装カバー１０２側に設けられている。無線基板４１をビス３２０で固定する際、正面外装カバー１０２に施された導電塗装との電気的な接続も行われる。図７（Ｂ）に示す正面外装カバー１０２の内面には、導電性被膜が形成されている。この導電性被膜は導電性塗料やイオンプレーティングによる被膜でもよく、またはその他の導電性被膜であってもよい。本実施形態では導電性塗料を例にして説明する。
図７（Ｂ）に点線枠内で示す領域３１３は、無線基板４１のアンテナ部４２に対向する領域である。正面外装カバー１０２の内面には導電塗装が施されているが、領域３１３には導電性塗料が付着しないようにマスキング処理が施される。これにより、領域３１３には導電性塗料が付着しないので、無線通信が可能な程度に電気抵抗率が高い領域となっている。正面外装カバー１０２には無線基板４１をビス留めで固定するビス座３１０ａが設けられている。このビス座３１０ａを含めた正面外装カバー１０２の内面には、領域３１３を除いてほぼ全域に導電塗装が施されている。よって、正面外装カバー１０２は電磁波の遮蔽機能を有する。
【手続補正７】
【補正対象書類名】明細書
【補正対象項目名】００２６
【補正方法】変更
【補正の内容】
【００２６】
ビス座３１０ａには、無線基板４１の位置決めを行うために、第１の位置決め部３１２ａと、ビス３２０の下穴３１１が設けられている。また、第２の位置決め部３１２ｂが台座３１０ｂに設けられている。台座３１０ｂは領域３１３内に配置されているが、これに限定される訳ではなく、台座３１０ｂおよび第２の位置決め部３１２ｂを領域３１３以外に配置してもよい。第１の位置決め部３１２ａと第２の位置決め部３１２ｂは、位置決め機能を果すために導電塗装が付着していないか、あるいは位置決め機能に支障を来さない程度の導電塗装が施される。
正面外装カバー１０２は、カメラボディ１００の金属フレームに接続固定されることで撮像装置のグランド部と電気的に接続される。また、導電性樹脂で作成された上面外装カバー１０１、背面外装カバー１１１はともに接触固定により電気的に接続される。無線基板４１はビス座３１０ａを通してカメラボディ１００のグランド部と電気的に接続される。アンテナ部４２に対向する範囲およびその周辺部を含む領域３１３だけは、その他の領域に比べて相対的に電気抵抗率の高い領域である。無線基板４１と不図示のカメラ基板との接続は、フレキシブル配線や同軸細線等を用いた公知の技術で行われ、無線基板４１の制御が行われる。
【手続補正８】
【補正対象書類名】明細書
【補正対象項目名】００２７
【補正方法】変更
【補正の内容】
【００２７】
第２実施形態では、カメラボディ１００全体を、導電性樹脂による外装部材と、内面に導電塗装を施した外装部材で覆うことにより、ほぼ全域が導電体で覆われることになり、高い電磁遮蔽効果が得られる。よって、不要ノイズを放射することがなく、外来ノイズの影響を受け難い。また、正面外装カバー１０２の内面にて無線基板４１のアンテナ部４２の周辺を覆う領域３１３には導電塗装が施されていない。無線電波が透過する上で充分に電気抵抗率の高い領域を確保することにより、撮像装置に内蔵された無線基板４１を用いて外部機器との間で通信が可能となる。更に、正面外装カバー１０２に設けた無線基板４１の固定用のビス座３１０ａには導電塗装が施され、無線基板４１のグランド部がカメラボディ１００のグランド部と電気的に接続されるので、無線通信時に電磁波の送受信を安定に行える。